(57)【要約】  楽器胴（１）と、それから延びる首（２）と、首の自由端において弦のための第１の取付手段（３，４）と、楽器の胴（１）の上の弦のための第２の取付手段（７）と、取付手段（３，４；７）の間で胴（１）および首の上側を横切って延びる弦（５）と、そして首（２）が第１の作動位置とそして首（２）が胴（１）の上側の上に配置される第２の非作動位置の間で折り畳まれることを許容するための、首（２）と胴（１）を接続する折り畳み装置（８）を備えている。  弦取付手段（３，４；７）の一方が弦の整列方向に対して実質上直角に配置されたシャフト（７５）のまわりに回転自在に軸支されたリール（７２）を含み、そしてリール（７２）は首（２）が作動位置からまた作動位置へ折られる時弦を緊張状態においてコイル巻しそして巻戻すためにシャフト（７５）のまわりでばね緊張されている。
2006520018.tif 000002
【特許請求の範囲】
【請求項１】
楽器胴（１）と、それから延びる首（２）と、首の自由端において弦のための第１の取付手段（３，４）と、楽器の胴（１）の上の弦のための第２の取付手段（７）と、取付手段（３，４；７）の間で胴（１）および首の上側を横切って延びる弦（５）と、そして首（２）が第１の作動位置とそして首（２）が胴（１）の上側の上に配置される第２の非作動位置の間で折り畳まれることを許容するための、首（２）と胴（１）を接続する折り畳み装置（８）を備えている弦楽器であって；
弦取付手段（３，４；７）の一方が弦の整列方向に対して実質上直角に配置されたシャフト（７５）のまわりに回転自在に軸支されたリール（７２）を含み、そしてリール（７２）は首（２）が作動位置からまた作動位置へ折られる時弦を緊張状態においてコイル巻きしそして巻戻すためにシャフト（７５）のまわりでばね緊張されていることを特徴とする弦楽器。
【請求項２】
リール（７２）は緊張機構（７７，７８，７９）により、胴（１１へ剛直に固着されたエレメント（７１）へ接続された取付具（７６）によって支持されており、該緊張機構は一終端位置において該エレメント（７１）からのあらかじめ定められた距離に取付具（７６）を保持し、そして該緊張機構は首（２）がその作動位置へおよび作動位置から折られている時弦（５）を解放するために前記距離の増大を許容することを特徴とする請求項２の弦楽器。
【請求項３】
緊張機構は、ノブを備えた締付けスクリュー（７７）を含み、該スクリューはエレメント（７１）または取付具（７６）のどちらかの中の開口（７８）を通って実質上弦（５）の方向に延び、そして該エレメントまたは該取付具の他方の中の内ねじ（７９）と係合することを特徴とする請求項２の弦楽器。
【請求項４】
緊張機構のクランプされた終端位置は取付具（７６）とエレメント（７１）の間の剛直な接触によって規定されることを特徴とする請求項２または３の弦楽器。
【請求項５】
折り畳み装置（８）は４リンク機構（３０，８１−８６）よりなることを特徴とする請求項１ないし４のいずれかの弦楽器。
【請求項６】
４リンク機構（３０，８１−８６）は、首（２）へ剛直に合体したリンク（３０）を備え、そして首に沿って一致する機構リンク（１，８２）を受入れるための平行なくぼみを有し、該くぼみは楽器が折り畳まれない作動状態にある時該機構リンク（１，８２）が実質上平行に配向することを可能にすることを特徴とする請求項５の弦楽器。
【請求項７】
スクリュー（２８）は首（２）の端部分を接続するためのくぼみ（３１）まで胴の下側から延びており、そして首の端部分は首が完全に折られた時スクリュー（２８）の自由端を受入れるためのねじ穴（２１）を有することを特徴とする請求項６の弦楽器。
【請求項８】
弦取付手段（３，４）の一方は弦の調律のための調律具（３）を備えていることを特徴とする請求項１ないし７のいずれかの弦楽器。
【請求項９】
リール（７２）の外表面は、リール上に軸支された一対のリンク（５３）がリールの放射方向平面内で回動するために、その外表面へ向って開いたくぼみ（５４）を備えており、その外端においてリンク（５３）は弦（５）のグループの隣接端のための回動自在な取付バー（５２）を支承し、そしてリール（７２）の外表面は首（２）が胴（１）の上に折られる時コイル巻ばね（７４）によってリール（７２）が回転される時取付バー（５２）のためのくぼみ（５５）を備えていることを特徴とする請求項１ないし８のいずれかの弦楽器。
【発明の詳細な説明】
【技術分野】
【０００１】
本発明は、請求項１の序文に記載されたタイプの弦楽器に関する。このように本発明は、折り畳んだ時輸送スペースを少ししか必要しないように首を楽器胴の上に折り畳むことができる弦楽器に関する。
【背景技術】
【０００２】
既知タイプの弦楽器の一つの問題は、折り畳んだ状態において弦が弦取付具と弦保持具の間の経路を勝手に走ることである。従ってもし楽器を折り畳んだ時カバーまたはケースに収納すべきであるならば、楽器の弦がファスナーによって損傷または喰い込まれるか、または弦の１本が楽器を作動位置へ戻す時損傷される危険がある。
【０００３】
さらに楽器は折り畳み／復元操作の間に変調を受け、そのため首が演奏位置へ復元された時大幅な調律を受けなければならない。
【発明の開示】
【０００４】
それ故本発明の目的は、上述した欠点が完全または部分的に排除された弦楽器を提供することである。この目的は本発明によって達成される。
【０００５】
本発明は、独立項である請求項１によって規定されている。本発明の具体例は、従属項に規定されている。
【０００６】
本発明は、楽器の首が折り畳み装置によって胴へ接続されているとして規定されている。しかしながら、首の小部分は楽器の胴へ属すると考えることができることが明らかである。
【０００７】
本発明の重要な特徴は、一以上の弦が弦の整列方向に対して実質上直角に延びる、回転自在に軸支されたリールの上に弦取付手段が配置されていることである。このリールは、首が胴の上に折り畳まれる時、弦をリールの上にコイル巻するか、または首が胴から作動位置へ戻される時リールから弦を巻き戻す間弦を張った状態に保つために、リールがプレ緊張、例えばばね緊張されていることである。
【０００８】
このリールはその上に回転自在に軸支される取付具によって支持される。取付具は胴または首上の静止エレメントへ緊張機構によって接続される。その終端位置において緊張機構は取付具を静止エレメントからあらかじめ定めた距離に保持するように配置される。緊張機構は、首がその作動位置から折り畳み位置へおよびその反対に動かされる前に、弦を解放するために前記距離の増加を許容するように配置される。これは首の作動位置へおよびそこからの運動の間弦へ余分の荷重がかかるのを防止する。簡単なそして好ましい具体例において、緊張機構の終端位置は取付具と静止エレメントとの間の剛直な接触によって規定される。緊張機構自体はノブを備えたスクリューよりなることができ、該スクリューは静止エレメント中の開口を通って延びそしてそれと反対に取付具中に配置されたねじ穴と係合する。
【０００９】
折り畳み装置自体は簡単な蝶番よりなることができるが、しかし好ましくは４リンク機構よりなり、これは揺動運動の最終段階において首の内側端部分が胴の対応するくぼみへ近づき、それにより首の作動終端位置によって剛直に支持されることを許容する。当然このことは、首は折り畳み運動のスタートにおいて軸方向へ変位し、その後首は揺動と変位の組合せ運動を描くことを意味する。
【００１０】
作動位置において胴への首の接続をさらに安定化するため、胴と首の間の合体区域において首の下側に胴と首の間の取付具を配置することができる。胴の下側から上へ開口を通って延びるスクリューが首が作動位置にある時首の下側のねじに受入れられる。このスクリューは指で作動されるノブを備えることができ、そして首を胴のくぼみ中に安定化させる。
【発明を実施するための最良の形態】
【００１１】
本発明は、例示として添付図面を参照して以下に記載される。
【００１２】
図１は、胴１と、胴から延びそして折り畳み装置８を介して胴へ接続された首２からなる弦楽器を図示する。首２の自由端部分は弦のための調律糸巻のための糸巻ボックス３を備える。弦は首の自由端にあるナット４を横断して延びる。弦５を支えるブリッジ６が胴１の上側に設けられる。首の反対側は弦ホルダー７である。糸巻ボックス３とナット４は弦の一端のための第１の取付手段を形成する。
【００１３】
弦ホルダー７は一般にＵ字形ヨーク７６の脚間に回転自在に軸支されたリール７２を備え、その腰は、取付手段７１中の開口を通って延び、そしてヨークの腰中のねじ穴７２と回動自在に係合する指動スクリュー７７を持つように示されている緊張機構の助けにより、胴１へ固定された弦ホルダーのための取付手段７１に対して剛直に固着される。
【００１４】
弦ホルダーは弦の他端のための取付具を形成する。図３に見られるように、リール７２は軸支シャフト７５に関してばね７４によりプレ緊張されており、そのため弦５は首２が胴１の上側に折り畳まれる時リール７２にコイル巻される。首が作動位置へ戻される時、弦はばね７４の作用に抗して安全に巻戻しされるであろう。
【００１５】
図２および３は、取付エレメント５１により一対の平行な互いに間隔を空けたリンク５３へ回動自在に接続されたバー５２へ弦５が接続され、該リンク５３はリール７２へ回動自在に軸支される。リール７２はリンク５３を受入れるためのくぼみ５４を有する。リール７２はまた、バー５２を受入れることがでとにくぼみ５５をも有する。くぼみ５５とリール周縁の間の過渡は弦５上のひずみを減らすために緩やかであることが明瞭である。また図３からは、楽器の演奏状態において弦５はリールのシャフト７２に対して実質上放射方向に延びていることが見られる。
【００１６】
勿論この具体例は、そのホルダー７６を備えたリール７２が首２の自由端に位置し、ナット４を備えた糸巻ボックス３が胴１上に位置するように修飾することができる。
【００１７】
図１に示した具体例の代りとして、緊張機構７７，７８，７９は糸巻ボックス３およびナット４を首２へ取り付けることができる。もしリール７２および糸巻ボックス３は場所を交換するならば、緊張機構は勿論リールへ接続されることができる。
【００１８】
図５−７は折り畳み装置８の現在好ましい具体例を図示する。この具体例において、胴１は首２の隣接する端部分を収容するためのくぼみ３１を備える。首２の下側は首の端部を短くこえて固定突起２３を形成するように延びる金属プレート２１を備える。プレート２１はねじ穴２２を備える。首２の片側にはリンクアーム８１および８２の一端のための軸受８３および８５を軸支する取付具３０がある。リンクアーム８１，８２は支点８４および８５においてそれぞれ胴１上に回動自在に軸支される。図５において、折り畳んだ状態でリンクアーム８１は首２に対して実質直角に延びるが、リンクアーム８２は首の長手方向に対して４５°以下の斜めの角度を形成していることが見られる。図７に図示するように、取付具３０はリンクアーム８１を収容するためその長さに沿って延びる上方に開いたみぞ３７を有する。取付具３０はまた、首２が胴１に関して折り畳まれる時リンクアームを収容するためその長さに沿って延びる下向きに開いたみぞ３６を有する。胴１にも取付具３０を収容するためのくぼみ３９が設けられる。
【００１９】
図６は、首２がその作動方向に対して約３０°の角度を形成するときの折り畳み装置８を図示する。装置８は、固定突起２３がくぼみ３１の前端中の対応するくぼみ中へ動くことを許容することが見られる。
【００２０】
胴１はまた、首が折り畳まれ、プレート２１がくぼみ３１の底面に乗る時プレート２１中のねじ穴２２へ向って指向されるスクリュー２８を持つことが見られる。そのためスクリュー２８をねじ穴２２中へねじ込み、首２と胴１の接合を強固にすることができる。
【図面の簡単な説明】
【００２１】
【図１】本発明に従った弦楽器の概略的側面図である。
【図２】図１の線ＩＩ−ＩＩに沿った概略図である。
【図３】図２の線ＩＩＩ−ＩＩＩに沿って取った断面の概略図である。
【図４】コイル巻された状態にあるコイル巻リールを示す図である。
【図５】楽器の胴と首の間に折り畳まれた折り畳み機構の側面図である。
【図６】折り畳み操作の他の段階における図５に従った機構を示す図である。
【図７】図５の線ＶＩＩ−ＶＩＩに沿って取った図である。
【図１】
2006520018.tif 000003
【図２】
2006520018.tif 000004
【図３】
2006520018.tif 000005
【図４】
2006520018.tif 000006
【図５】
2006520018.tif 000007
【図６】
2006520018.tif 000008
【図７】
2006520018.tif 000009
【国際調査報告】
2006520018.tif 000010
2006520018.tif 000011
2006520018.tif 000012